(57)【特許請求の範囲】
【請求項１】
曲率を有する下摺動面をその下面の内側に備えた上沓と、
曲率を有する上摺動面をその上面の内側に備えた下沓と、
上沓と下沓の間で、該上沓および該下沓と接して曲率を有する上面および下面を備えた柱状の摺動体と、から構成される滑り免震装置であって、
前記上沓の前記下面のうち、前記下摺動面の周囲に環状の第一のストッパーが配設され、
前記下沓の前記上面のうち、前記上摺動面の周囲に環状の第二のストッパーが配設され、
前記上沓の側面から前記第一のストッパーの周囲に亘って第一の熱膨張性耐火材が装着され、
前記下沓の側面から前記第二のストッパーの周囲に亘って第二の熱膨張性耐火材が装着されており、
前記第一の熱膨張性耐火材は、前記上沓の前記側面に沿う鉛直部と、前記第一のストッパーの側面に沿う鉛直部と、前記上沓の前記下面において前記側面から前記第一のストッパーまでの範囲にあって双方の前記鉛直部を繋ぐ水平部と、を備え、
前記第二の熱膨張性耐火材は、前記下沓の前記側面に沿う鉛直部と、前記第二のストッパーの側面に沿う鉛直部と、前記下沓の前記上面において前記側面から前記第二のストッパーまでの範囲にあって双方の前記鉛直部を繋ぐ水平部と、を備えており、
非火災時には、前記第一の熱膨張性耐火材と前記第二の熱膨張性耐火材は非接触状態にあり、
火災時には、前記第一の熱膨張性耐火材と前記第二の熱膨張性耐火材の双方が熱膨張して相互に密着して前記摺動体の配設されている空間を密閉する、滑り免震装置。
【発明の詳細な説明】
【技術分野】
【０００１】
本発明は、上下沓とそれらの間に介在する摺動体とから構成される滑り免震装置に関するものである。
【背景技術】
【０００２】
地震国であるわが国においては、ビルや橋梁、高架道路、戸建の住宅といった様々な構造物に対して、地震力に抗する技術、構造物に入る地震力を低減する技術など、様々な耐震技術、免震技術、制震技術が開発され、各種構造物に適用されている。
【０００３】
中でも免震技術は、構造物に入る地震力そのものを低減する技術であることから、地震時の構造物の振動は効果的に低減される。この免震技術を概説するに、下部構造物である基礎と上部構造物との間に免震装置を介在させ、地震による基礎の振動の上部構造物への伝達を低減し、上部構造物の振動を低減して構造安定性を保証するものである。なお、この免震装置は、地震時のみならず、構造物に対して常時作用する交通振動の上部構造物への影響低減にも効果を発揮するものである。
【０００４】
免震装置には鉛プラグ入り積層ゴム支承装置や高減衰積層ゴム支承装置、積層ゴム支承とダンパーを組み合わせた装置、滑り免震装置など、様々な形態の装置が存在している。その中で滑り免震装置を取り上げてその一つの形態の構成を説明すると、曲率を有する摺動面を備えた上沓および下沓と、上沓と下沓の間で、それぞれの沓と接して同じ曲率を有する上面および下面を備えた柱状の摺動体と、から構成されており、上下球面滑りタイプの免震装置、あるいはダブルコンケイブ式の免震装置などと称されることもある。この種の免震装置では、上下の沓の動作性能が、それらの間に介在する摺動体との間の摩擦係数やこれに重量が乗じられた摩擦力に支配される。
【０００５】
ところで、上記する滑り免震装置が建物の途中階に設置される、いわゆる中間層免震構造を形成する場合、建築基準法によれば、この滑り免震装置に対して、当該滑り免震装置の上下に位置する柱等の構造部材と同等の耐火性能が要求される。
【０００６】
より具体的には、3時間で1100℃の加熱状態下において、上下の柱間に介在する滑り免震装置には、上方の柱から作用する長期軸力を下方の柱に伝達できる性能を保持することが要求される。
【０００７】
したがって、特に中間層免震構造に適用される滑り免震装置においては、地震時の振動低減性能に加えて、火災時の耐火性能が要求されることになる。
【０００８】
ここで、特許文献１には、免震装置の耐火被覆構造が開示されている。具体的には、下部構造体に取り付けられたすべり板と、上部構造体に形成されたすべり支承下面にすべり板の上面を摺動するように取り付けられた樹脂製あるいは金属製のすべり材と、を有するすべり支承型の免震装置であり、すべり支承下面におけるすべり材の周囲に、火災時に膨張してすべり材を被覆する熱膨張耐火材がすべり板と非接触状態を保って取り付けられているものである。
【０００９】
この免震装置の耐火被覆構造によれば、建物の上部構造体の荷重を免震装置より下方の下部構造体に伝達するための樹脂製あるいは金属製のすべり材の周囲に、すべり板と非接触状態を保って熱膨張耐火材を取り付けたことにより、地震時の摺動に影響を与えることなく、火災時にはすべり材を効率よく被覆することができるとしている。
【先行技術文献】
【特許文献】
【００１０】
【特許文献１】特許第５３５６７４３号公報
【発明の概要】
【発明が解決しようとする課題】
【００１１】
特許文献１で開示される免震装置の耐火被覆構造は、上沓および下沓と、上沓と下沓の間に配設される摺動体と、から構成される滑り免震装置とは構成を異にすることから（摺動体を備えていない）、摺動体を備えた滑り免震装置であって耐火性能に優れた滑り免震装置を開示するものではない。
【００１２】
また、この免震装置の耐火被覆構造は、現場にて免震装置を囲む耐火被覆材を取り付ける作業を必須とすることから、現場施工性に課題を有している。
【００１３】
本発明は上記する問題に鑑みてなされたものであり、上沓および下沓と、上沓と下沓の間に配設される摺動体と、から構成される滑り免震装置に関し、現場にて耐火被覆材を設置する作業を不要とでき、地震時における免震性能に優れ、かつ火災時の耐火性能に優れた滑り免震装置を提供することを目的としている。
【課題を解決するための手段】
【００１４】
前記目的を達成すべく、本発明による滑り免震装置は、曲率を有する下摺動面をその下面の内側に備えた上沓と、曲率を有する上摺動面をその上面の内側に備えた下沓と、上沓と下沓の間で、該上沓および該下沓と接して曲率を有する上面および下面を備えた柱状の摺動体と、から構成される滑り免震装置であって、前記上沓の側面から前記下面の前記下摺動面以外の領域に亘って第一の熱膨張性耐火材が装着されており、前記下沓の側面から前記上面の前記上摺動面以外の領域に亘って第二の熱膨張性耐火材が装着されており、非火災時には、前記第一の熱膨張性耐火材と前記第二の熱膨張性耐火材は非接触状態にあり、火災時には、前記第一の熱膨張性耐火材と前記第二の熱膨張性耐火材の双方が熱膨張して相互に密着して前記摺動体の配設されている空間を密閉するものである。
【００１５】
本発明の滑り免震装置は、上沓の側面からその下面の下摺動面以外の領域に亘って第一の熱膨張性耐火材が装着され、下沓の側面からその上面の上摺動面以外の領域に亘って第二の熱膨張性耐火材が装着され、非火災時には、第一の熱膨張性耐火材と第二の熱膨張性耐火材は非接触状態にあることにより、第一、第二の熱膨張性耐火材が地震時の摺動体の摺動を阻害しないことから、地震時における免震性能に優れた滑り免震装置である。
【００１６】
さらに、火災時には、第一の熱膨張性耐火材と第二の熱膨張性耐火材の双方が熱膨張して相互に密着して摺動体の配設されている空間を密閉することにより、火災時の熱から摺動体を遮断することができ、火災時の熱で摺動体が熱劣化して十分な軸力伝達機能を失わないようにすることができ、耐火性能に優れた滑り免震装置となっている。
【００１７】
より具体的には、火災時には、上沓および下沓の間の隙間から熱が内部に入り込む熱の流れと、上沓および下沓を介して摺動体に伝熱する熱の流れがあり、これらの熱が摺動体に伝熱されて摺動体が熱劣化し得る。
【００１８】
この火災時の熱の流れに対し、第一、第二の熱膨張性耐火材がそれぞれ上沓および下沓の側面から摺動面の周囲に亘って配設されていて、火災時に双方が熱膨張して相互に密着して摺動体の配設されている空間を密閉することにより、上記する二つの熱の流れを効果的に遮断することができる。
【００１９】
ここで、第一、第二の熱膨張性耐火材としては有機系耐火材を適用することができる。
【００２０】
第一、第二の熱膨張性耐火材は、たとえば製作工場にて上沓および下沓に対して予め取り付けることができるため、滑り免震装置が設置される現場において、第一、第二の熱膨張性耐火材を取り付ける作業は不要となり、現場施工性に優れた滑り免震装置となる。
【００２１】
また、滑り免震装置の実施の形態として、前記上沓の前記下面のうち、前記下摺動面の周囲に環状の第一のストッパーが配設され、前記下沓の前記上面のうち、前記上摺動面の周囲に環状の第二のストッパーが配設され、前記第一の熱膨張性耐火材が前記第一のストッパーの周囲まで装着され、前記第二の熱膨張性耐火材が前記第二のストッパーの周囲まで装着されている形態を挙げることができる。
【００２２】
環状の第一のストッパーと第二のストッパーにて摺動体の摺動範囲が規定され、摺動体の脱落等が抑止される。
【００２３】
また、環状の第一のストッパーと第二のストッパーがあることで、それらの内側が摺動面となることから、第一、第二の熱膨張性耐火材の取り付け範囲が明瞭になり、それらの取り付け性も良好になる。
【発明の効果】
【００２４】
以上の説明から理解できるように、本発明の滑り免震装置によれば、上沓の側面からその下面の下摺動面以外の領域に亘って第一の熱膨張性耐火材が装着され、下沓の側面からその上面の上摺動面以外の領域に亘って第二の熱膨張性耐火材が装着され、非火災時には、第一の熱膨張性耐火材と第二の熱膨張性耐火材は非接触状態にあることにより、第一、第二の熱膨張性耐火材が地震時の摺動体の摺動を阻害しないことから、地震時における免震性能に優れた滑り免震装置となる。
【００２５】
また、火災時には、第一の熱膨張性耐火材と第二の熱膨張性耐火材の双方が熱膨張して相互に密着して摺動体の配設されている空間を密閉することにより、火災時の熱から摺動体を遮断することができ、火災時の熱で摺動体が熱劣化して十分な軸力伝達機能を失わないようにすることができ、耐火性能に優れた滑り免震装置となる。
【００２６】
さらに、第一、第二の熱膨張性耐火材は、たとえば製作工場にて上沓および下沓に対して予め取り付けることができるため、滑り免震装置が設置される現場において、第一、第二の熱膨張性耐火材を取り付ける作業は不要となり、現場施工性に優れた滑り免震装置となる。
【図面の簡単な説明】
【００２７】
【図１】本発明の滑り免震装置の実施の形態の縦断面図であって、上部構造体と下部構造体の間に設置されている状態を示した図である。
【図２】地震時の滑り免震装置の動作態様を説明した図である。
【図３】火災時の滑り免震装置の作用を説明した図であって、（ａ）は火災発生前の状態を示した図であり、（ｂ）は火災発生後の状態を示した図である。
【発明を実施するための形態】
【００２８】
以下、図面を参照して本発明の滑り免震装置の実施の形態を説明する。
【００２９】
（滑り免震装置の実施の形態）
図１は本発明の滑り免震装置の実施の形態の縦断面図であって、上部構造体と下部構造体の間に設置されている状態を示した図である。
【００３０】
図示する滑り免震装置１０は、曲率を有するSUS製の下摺動面１ｄをその下面１ａの内側に備えた上沓１と、曲率を有するSUS製の上摺動面２ｄをその上面２ａの内側に備えた下沓２と、上沓１と下沓２の間で、上沓１および下沓２と接して曲率を有する上面および下面を備えた柱状で鋼製（SUS製を含む）の摺動体３と、から構成される。
【００３１】
上沓１の下面１ａのうち、下摺動面１ｄの周囲には環状の第一のストッパー１ｃが配設されており、下沓２の上面２ａのうち、上摺動面２ｄの周囲にも環状の第二のストッパー２ｃが配設されている。
【００３２】
環状の第一のストッパー１ｃと第二のストッパー２ｃにより、摺動体３の摺動範囲が規定され、摺動体３の脱落等が抑止される。
【００３３】
上沓１と下沓２と摺動体３はいずれも、溶接鋼材用圧延鋼材（SM490A,B,C、もしくはSN490B,C、もしくはS45C）から形成され、面圧60MPa程度の耐荷強度を有している。
【００３４】
また、摺動体３の上面と下面にはそれぞれ、不図示の二重織物層が接着固定されているのが好ましい。この二重織物層は、たとえばPTFE繊維とPTFE繊維よりも引張強度の高い繊維からなる二重織物層であり、PTFE繊維が上沓１の下摺動面１ｄと下沓２の上摺動面２ｄ側に配設されるようにして各二重織物層が摺動体３の上下面に固定されている。ここで、「PTFE繊維よりも引張強度の高い繊維」としては、ナイロン6・6、ナイロン6、ナイロン4・6などのポリアミドやポリエチレンテレフタレート(PET)、ポリトリメチレンテレフタレート、ポリブチレンテレフタレート、ポリエチレンナフタレートなどのポリエステルやパラアラミド、メタアラミド、ポリエチレン、ポリプロピレン、ガラス、カーボン、ポリフェニレンサルファイド(PPS)、LCP、ポリイミド、PEEKなどの繊維を挙げることができる。また、さらに、熱融着繊維や綿、ウールなどの繊維を適用してもよい。その中でも、耐薬品性、耐加水分解性に優れ、引張強度の極めて高いPPS繊維が望ましい。これら二重織物層は、エポキシ樹脂系接着剤等からなる接着剤を介して摺動体３の上下面に接着固定される。
【００３５】
滑り免震装置１０では、上沓１の側面１ｂからその下面１ａの下摺動面１ｄ以外の領域（第一のストッパー１ｃの周囲まで）に亘って第一の熱膨張性耐火材４が装着されており、下沓２の側面２ｂからその上面２ａの上摺動面２ｄ以外の領域（第二のストッパー２ｃの周囲まで）に亘って第二の熱膨張性耐火材５が装着されている。
【００３６】
そして、図１で示す状態、すなわち、非火災時においては、第一の熱膨張性耐火材４と第二の熱膨張性耐火材５は相互に非接触状態にあり、双方の間に隙間Ｇがある。なお、図示を省略するが、この隙間Ｇを閉塞するように、第一のストッパー１ｃと第二のストッパー２ｃに環状の防塵ゴムをそれぞれ取り付け、摺動体３の収容された空間に塵が入り込まないようになっている形態であってもよい。この形態では、第一のストッパー１ｃの外側の側面からその端面（第二のストッパー２ｃに対向する端面）に亘って防塵ゴムが接着され、同様に、第二のストッパー２ｃの外側の側面からその端面（第一のストッパー１ｃに対向する端面）に亘って防塵ゴムが接着され、非火災時において、双方の防塵ゴムにて隙間Ｇが閉塞されており、双方の防塵ゴムの外側に第一の熱膨張性耐火材４と第二の熱膨張性耐火材５がそれぞれ取り付けられている。
【００３７】
ここで、第一の熱膨張性耐火材４と第二の熱膨張性耐火材５は有機系耐火材から形成され、より詳細には、積水化学工業株式会社製の「フィブロック」（登録商標）から形成されている。
【００３８】
非火災時においては、第一の熱膨張性耐火材４と第二の熱膨張性耐火材５の厚みは3mm程度である。
【００３９】
第一の熱膨張性耐火材４と第二の熱膨張性耐火材５は、製作工場にて上沓１と下沓２に対して予め取り付けることができる。そのため、滑り免震装置１０が設置される現場において、第一の熱膨張性耐火材４と第二の熱膨張性耐火材５を取り付ける作業は不要となり、現場施工性に優れた滑り免震装置１０となる。
【００４０】
図１で示すように、滑り免震装置１０は、柱等の上部構造体Ｓ１と、同様に柱等の下部構造体Ｓ２の間に設置され、地震時における上部構造体Ｓ１と下部構造体Ｓ２の水平変位を滑り免震装置１０の動作にて低減する。さらに、滑り免震装置１０は上部構造体Ｓ１と下部構造体Ｓ２の間に設置される、いわゆる中間層免震構造を形成することから、建築基準法に則り、滑り免震装置１０には、上部構造体Ｓ１と下部構造体Ｓ２と同等の耐火性能が要求される。そこで、以下、図２，３を参照して、地震時と火災時の滑り免震装置１０の作用を説明する。
【００４１】
図２は、地震時の滑り免震装置１０の動作態様を説明したものである。
【００４２】
図２で示すように、地震時においては、上部構造体Ｓ１と下部構造体Ｓ２の水平変位に応じて上沓１と下沓２の間で摺動体３が摺動することにより、地震力の低減を図ることができる。
【００４３】
ここで、滑り免震装置１０では、第一の熱膨張性耐火材４と第二の熱膨張性耐火材５が相互に非接触状態にあることから、これら第一の熱膨張性耐火材４と第二の熱膨張性耐火材５が上沓１や下沓２の水平変位、摺動体３の摺動を阻害しない。
【００４４】
したがって、滑り免震装置１０は、地震時において優れた免震性能を発揮することができる。
【００４５】
一方、図３は、火災時の滑り免震装置１０の作用を説明した図であって、図３（ａ）は火災発生前の状態を示した図であり、図３（ｂ）は火災発生後の状態を示した図である。
【００４６】
図３（ａ）で示すように、火災時においては、上沓１と下沓２の間の隙間Ｇから火災時の熱が内部に入り込む熱の流れＲ１と、上沓１と下沓２を介して摺動体３に伝熱する熱の流れＲ２があり、これらの熱が摺動体３に伝熱されて摺動体３が熱劣化し得る。
【００４７】
これに対し、滑り免震装置１０では、図３（ｂ）で示すように、第一の熱膨張性耐火材４と第二の熱膨張性耐火材５の双方が熱膨張して熱膨張した第一の熱膨張性耐火材４’と第二の熱膨張性耐火材５’となり、第一の熱膨張性耐火材４’と第二の熱膨張性耐火材５’が相互に密着して摺動体３の配設されている空間を密閉する。
【００４８】
たとえば、非火災時において厚みが3mm程度の第一の熱膨張性耐火材４と第二の熱膨張性耐火材５は、火災時に熱膨張してそれらの厚みが30mm以上になる。
【００４９】
第一の熱膨張性耐火材４’と第二の熱膨張性耐火材５’が相互に密着することで、図３（ａ）で示す熱の流れＲ１が遮断される。
【００５０】
また、第一の熱膨張性耐火材４’と第二の熱膨張性耐火材５’の厚みが10倍以上に熱膨張することで、図３（ａ）で示す熱の流れＲ２が遮断される。
【００５１】
このように、第一の熱膨張性耐火材４と第二の熱膨張性耐火材５の双方が熱膨張して相互に密着して摺動体３の配設されている空間を密閉することにより、火災時の熱から摺動体３を遮断することができ、火災時の熱で摺動体３が熱劣化して十分な軸力伝達機能を失わないようにすることができる。たとえば、火災時に1100℃程度かそれ以上の温度雰囲気下において、摺動体３の温度を500℃程度かそれ以下に留めることが可能になる。
【００５２】
したがって、滑り免震装置１０は、火災時において優れた耐火性能を発揮することができる。
【００５３】
このように、図示する滑り免震装置１０は、現場施工性に優れ、地震時における免震性能に優れ、かつ火災時の耐火性能に優れた滑り免震装置となる。
【００５４】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００５５】
１…上沓、１ａ…下面、１ｂ…側面、１ｃ…第一のストッパー、１ｄ…下摺動面、２…下沓、２ａ…上面、２ｂ…側面、２ｃ…第二のストッパー、２ｄ…上摺動面、３…摺動体、４，４’…第一の熱膨張耐火材、５，５’…第二の熱膨張耐火材、１０…滑り免震装置、Ｇ…隙間、Ｓ１…上部構造体、Ｓ２…下部構造体
【図１】
0006653615.tif 000002
【図２】
0006653615.tif 000003
【図３】
0006653615.tif 000004